(57)【要約】【課題】  解像度が比較的高い記憶性表示画面の画面操作に良好な応答性を得る。【解決手段】  所定の解像度で画像を表示するメインディスプレイ２０１と、メインディスプレイ２０１の周辺の少なくとも一辺に沿って配置され、メインディスプレイ２０１よりも低い解像度を有するサブディスプレイ２０２ａ、２０２ｂと、サブディスプレイ２０２ａ、２０２ｂが沿う一辺の方向に移動可能であって、メインディスプレイ２０１の周辺上の少なくとも１箇所を指し示すポインタ画像２１０ａ、２１０ｂをサブディスプレイ２０２ａ、２０２ｂ上に表示する。【選択図】  図２
2006259506.tif 000002
【特許請求の範囲】
【請求項１】
所定の解像度で画像を表示する第１表示画面と、
前記第１表示画面の周辺の少なくとも一辺に沿って配置され、第１表示画面よりも低い解像度を有する第２表示画面と、
前記第２表示画面が沿う一辺の方向に移動可能であって、前記第１表示画面の周辺上の少なくとも１箇所を指し示すポインタ画像を前記第２表示画面上に表示するポイント表示手段と、
を備えてなることを特徴とする画像表示装置。
【請求項２】
前記第２表示画面が記憶性液晶を使って前記ポイント画像を表示する表示画面であることを特徴とする請求項１に記載の画像表示装置。
【請求項３】
前記第２表示画面が前記第１表示画面の直交する２つの周辺に沿って設けられ、各第２表示画面上に表示された前記ポイント画像は、それぞれ前記第１表示画面の周辺上の少なくとも１箇所を指し示すことを特徴とする請求項１または２に記載の画像表示装置。
【発明の詳細な説明】
【技術分野】
【０００１】
本発明は、画像表示装置にかかり、特に高解像度の記憶性液晶を用いた表示画面を備える画像表示装置に関する。
【背景技術】
【０００２】
現在、記憶性液晶を用いた表示画面が電子機器に用いられている。記憶性液晶の表示画面は、画面にいったん表示された画像の維持に電力を消費しないため省力化に有利である長所を持つ。ただし、記憶性液晶の表示画面は、記憶性でない液晶表示画面に比べて書き換え速度が低い。また、書き換え速度は、解像度が高くなるほど低下する。このため、高解像度の記憶性液晶表示画面を用いた電子書籍等は、ユーザがＧＵＩ（Graphical User Interface）を使って操作した場合には充分な応答速度を得ることができない。
【０００３】
しかし、高解像度の記憶性液晶画面を用いた機器にあっても、表示されている画像を操作可能にしたいという要望がある。記憶性表示画面を用いた電子書籍の画像を操作するアイデアの従来技術としては、特許文献１が挙げられる。特許文献１には、液晶表示画面のメインディスプレイとサブディスプレイとを設けた携帯情報機器が記載されている。サブディスプレイは、書籍のタイトルや著者、頁位置を表示することに用いられる。また、具体的な構成の記載はないものの、スイッチ類やサブディスプレイを利用してメインディスプレイに表示されている画像にマーキングするアイデアが記載されている。
【特許文献１】特開２００４−３０２１７９号公報
【発明の開示】
【発明が解決しようとする課題】
【０００４】
しかしながら、上記した特許文献１のサブディスプレイは、メインディスプレイに表示されている文書の情報を抽出して表示するものであって、ユーザが任意に画面を操作するものではない。
また、サブディスプレイを使ってメインディスプレイに表示されている画像にマーキングするアイデアは、特に記憶性液晶表示画面の操作の応答性に考慮したものではない。
【０００５】
本発明は、このような点に鑑みてなされたものであり、解像度が比較的高い記憶性表示画面にあっても画面の操作が可能であって、この操作に良好な応答性が得られる画像表示装置を提供することを目的とする。
【課題を解決するための手段】
【０００６】
以上の課題を解決するため、本発明の画像表示装置は、所定の解像度で画像を表示する第１表示画面と、前記第１表示画面の周辺の少なくとも一辺に沿って配置され、第１表示画面よりも低い解像度を有する第２表示画面と、前記第２表示画面が沿う一辺の方向に移動可能であって、前記第１表示画面の周辺上の少なくとも１箇所を指し示すポインタ画像を前記第２表示画面上に表示するポイント表示手段と、を備えてなることを特徴とする。
【０００７】
このような発明によれば、所定の解像度で画像を表示する第１表示画面の周辺の少なくとも一辺に沿って第１表示画面よりも低い解像度を有する第２表示画面を配置することができる。そして、第２表示画面が沿う一辺の方向に移動可能であって、第１表示画面の周辺上の少なくとも１箇所を指し示すポインタ画像を第２表示画面上に表示することにより、第１表示画面上にあってポインタ画像を通る直線を含む領域を指し示すことができる。
【０００８】
このため、本発明は、第１表示画面に表示された内容を書換える操作をすることなく、第１表示画面に表示された内容をマーキングすることができる。また、マーキングの操作をするにあたり、第１表示画面を操作するよりも良好な応答性を得ることができる。このような本実施形態は、解像度が比較的高い記憶性表示画面にあっても画面の操作が可能であって、この操作に良好な応答性が得られる画像表示装置を提供することができる。
【０００９】
また、本発明の画像表示装置は、前記第２表示画面が記憶性液晶を使って前記ポイント画像を表示する表示画面であることを特徴とする。
このような発明によれば、画像表示装置への電力供給を断ってもポイント画像を表示し続けることが可能になる。このため、画像表示装置の消費電力を抑えながら第１表示画面に表示された内容に付箋を付したのと同様の効果を得ることができる。
【００１０】
また、本発明の画像表示装置は、前記第２表示画面が前記第１表示画面の直交する２つの周辺に沿って設けられ、各第２表示画面上に表示された前記ポイント画像は、それぞれ前記第１表示画面の周辺上の少なくとも１箇所を指し示すことを特徴とする。
このような発明によれば、ポインタ画像を通って、かつ直交する２直線の交点として第１表示画面上の領域を指し示すことができる。このため、表示された画像に含まれる文字あるいは行ばかりでなく、ポインタ画像が任意の位置をも指し示すことができる。
【発明を実施するための最良の形態】
【００１１】
以下、図を参照して本発明にかかる本発明の一実施の形態の画像表示装置を説明する。なお、本実施形態は、画像表示装置を、携帯可能であって電子書籍等の表示に使用される電子ペーパとして構成したものとする。
図１は、本実施形態の画像装置の概要を説明するための図である。本実施形態の画像表示装置は、図画や文字（本明細書では画像と記す）を表示するためのディスプレイ１０９と、ディスプレイを駆動させる表示体駆動回路１０８と、表示体駆動回路１０８を制御する操作制御部１００とを備えている。
【００１２】
ディスプレイ１０９は、所定の解像度で画像を表示する第１表示画面と、第１表示画面の周辺の少なくとも一辺に沿って配置され、第１表示画面よりも低い解像度を有する第２表示画面とでなる。第１表示画面、第２表示画面の具体的な構成については後述する。
操作制御部１００は、オペレータが画像表示装置を操作するため操作信号を入力する操作部１１０、操作部１１０によって入力された操作信号に応じて表示体駆動回路の駆動状態を制御する表示体駆動制御回路１０１、表示体駆動制御回路１０１を制御するＣＰＵ（Central Processing Unit）１０３、ＣＰＵ１０３の動作に必要なデータやプログラムが記憶されているＲＯＭ１０７、ＣＰＵ１０３の動作のワークメモリ等として使用されるＲＡＭ１０５を備えている。
【００１３】
図２は、本実施形態の画像表示装置の構成を説明するための図である。本実施形態の画像表示装置は、本体２００にメインディスプレイ２０１と、サブディスプレイ２０２とを備えている。サブディスプレイ２０２は、メインディスプレイ２０１の４つの辺（周辺）に沿って配置されている。周辺に沿うサブディスプレイのうち、図中の横の辺に沿うサブディスプレイをサブディスプレイ２０２ａ、縦の辺に沿うサブディスプレイをサブディスプレイ２０２ｂと記す。
【００１４】
メインディスプレイ２０１は、比較的高解像度のディスプレイであって、高精細の画像を表示することができる。このようなメインディスプレイ２０１の解像度としては、少なくとも２００ｄｐｉ程度が考えられる。
また、サブディスプレイ２０２は、メインディスプレイ２０１よりも大幅に低い解像度を持つ。本実施形態では、サブディスプレイ２０２を、一方向（サブディスプレイ２０２ａにあっては図中に示す横方向、サブディスプレイ２０２ｂにあっては図中に示す縦方向）にのみ画素を配列して構成する。
【００１５】
本実施形態では、メインディスプレイ２０１、サブディスプレイ２０２を記憶性液晶を使ってポイント画像を表示する表示画面として構成する。
本実施形態は、このような画素に対する電圧印加を切り替えることにより、サブディスプレイ２０２ａに沿うメインディスプレイ２０１の一辺の方向に移動可能であって、メインディスプレイ２０１の周辺上の少なくとも１箇所を指し示すポインタ画像２１０ａを表示する。また、サブディスプレイ２０２ｂに沿うメインディスプレイ２０１の一辺の方向に移動可能であって、メインディスプレイ２０１の周辺上の少なくとも１箇所を指し示すポインタ画像２１０ｂを表示する。
【００１６】
図３は、メインディスプレイ２０１、サブディスプレイ２０２のハードウェア構成を説明するための図である。なお、図２では、サブディスプレイ２０２をメインディスプレイ２０１の周辺全てに沿う額縁状に形成したが、図３に示した例では、図示及び理解の容易のため、メインディスプレイ２０１の横の辺に沿うサブディスプレイ２０２ａ、横の辺と直交する縦の辺に沿うサブディスプレイ２０２ｂを各々１つずつ設ける構成を示す。
【００１７】
図示するように、メインディスプレイ２０１は、画素を行ごとに選択する複数のゲートドライバ２０５、画素を列ごとに選択するソースドライバ２０３を備えている。ゲートドライバ２０５、ソースドライバ２０３の画素の選択は、操作制御部１００によって制御される。
すなわち、メインディスプレイ２０１を構成する各画素は、対応する電極（信号電極）によってオン、あるいはオフする。本実施形態の信号電極は、ゲートドライバ２０５、ソースドライバ２０３の両方によって電圧を印加された場合にオンするものとする。
【００１８】
また、サブディスプレイ２０２ａは、操作制御部１００に制御されるゲートドライバ２０６ａによってオン、オフする。そして、サブディスプレイ２０２ｂは、操作制御部１００に制御されるゲートドライバ２０６ｂによってオン、オフする。サブディスプレイ２０２ａ、２０２ｂの画素は、いずれも一方向にのみ配列されている電極によってオン、オフされる。
【００１９】
本実施形態では、オンした電極に対応する画素が光を透過しない状態に遷移し、ポインタ画像２０１ａ、２０１ｂを表示する。このため、ポインタ画像２０１ａ、２０１ｂは、画素の配列方向にのみ移動可能であって、他の方向には移動することができない。また、ポインタ画像２０１ａ、２０１ｂがメインディスプレイ２０１の周辺の１つに沿って移動することにより、ユーザは、ポインタ画像２０１ａ、２０１ｂが、ポインタ画像２０１ａ、２０１ｂを通る直線を含むメインディスプレイ２０１上の領域（図２中に領域Ａとして示す）を指し示すものと認識する。
【００２０】
このため、ユーザは、メインディスプレイ２０１に表示された内容のうち所定の行あるいは列を通る直線と一直線上にある位置にポインタ画像２０１ａ、２０１ｂを表示させ、この行あるいは列に付箋を付したのと同様の効果を得ることができる。また、本実施形態のように、サブディスプレイ２０２をメインディスプレイ２０１の縦の辺及び横の辺に沿って設けた場合、縦の領域と横の領域との交点ＡＡとなるメインディスプレイ２０１上の領域を指し示すことが可能になる。
【００２１】
さらに、図２に示したように、サブディスプレイ２０２ａ、サブディスプレイ２０２ｂをメインディスプレイ２０１の周辺全てに設けた場合、ポインタ画像２１０ａ、２１０ｂが指し示すメインディスプレイ２０１上の行あるいは列がより明瞭になる。
また、このような本実施形態は、高解像度のメインディスプレイ２０１を操作することなく、メインディスプレイ２０１の表示内容のマーキング箇所を変更する操作が可能になる。また、本実施形態は、一方向にのみ電極を配置してサブディスプレイ２０２を構成しているので、記憶性液晶表示画面のサブディスプレイ２０２にあってもポインタ画像２１０ａ、２０１ｂの表示を高速に切り替えることができる。このため、マーキング箇所を変更する操作において、良好な応答性を得ることができる。そして、画像表示装置に対する電力の供給を断ってもポインタ画像２１０ａ、２１０ｂを表示し続けてマークを残すことができるという記憶性液晶の特長を生かすことができる。
【００２２】
さらに、本実施形態の表示装置は、操作部１１０を、ポインタ画像２１０ａ、２１０ｂの表示位置等を変更するＵＰボタン、ＤＯＷＮボタン、ＲＩＧＨＴボタン、ＬＥＦＴボタン、Ｅｎｔｅｒボタン、ＯＮ／ＯＦＦボタンとして構成する。
ＵＰボタン及びＤＯＷＮボタンは、サブディスプレイ２０２ｂ上のポインタ画像２１０ｂの表示位置の上下を変更するためのボタンである。また、ＲＩＧＨＴボタン及びＬＥＦＴボタンは、サブディスプレイ２０２ｂ上のポインタ画像２１０ａの表示位置の左右を変更するためのボタンである。Ｅｎｔｅｒボタンは、変更された表示位置を確定するためのボタンである。さらに、ＯＮ／ＯＦＦボタンは、ポインタ画像２１０ａ、２１０ｂの表示の有無を選択するボタンである。
【００２３】
また、本実施形態の画像表示装置は、ポインタ画像２１０ａ、２１０ｂによって指し示される領域（例えば領域ＡＡ）に予め割り付けられた情報を表示する領域情報ディスプレイ２１２を備えることも可能である。なお、領域情報ディスプレイ２１２は、非記憶性の液晶を用いるものであってもよい。
次に、以上述べた本実施形態の表示装置の応用例について説明する。
【００２４】
図４及び図５は、領域情報ディスプレイ２１２の使用についての応用例を示す。画像表示装置には、操作に応じて複数のモードを予め設定しておくことができる。本実施形態の画像表示装置で設定可能なモードとは、例えば、ポインタ画像２１０ａ、２１０ｂによってメインディスプレイ２０１の表示内容をマーキングする操作をするモード（ＢＭモード）、画像表示装置で表示可能な複数のフォルダからフォルダを選択するモード（Ｆモード）等がある。
【００２５】
なお、以上述べた本実施形態は、サブディスプレイ２０２ａ、２０２ｂをいずれも電極を一列に配置して構成し、矩形のポインタ画像２１０ａ、２１０ｂを表示する構成とした。しかしながら、本実施形態は、このような構成に限定されるものではなく、サブディスプレイ２０２がメインディスプレイ２０１に比べて充分高速に書き替えられる程度に低解像度であれば良い。このため、ポインタ画像を、比較的粗い複数の画素によって表される三角形等とすることも可能である。
【００２６】
図４は、画面表示装置がＦモードであって、選択の対象となっているフォルダが１ないし３の合計３個存在することを示している。フォルダ１ないし３は、各々がポインタ画像２１０ａ、２１０ｂによって指し示された領域の記録を保存している。フォルダ２の内容を見る場合、ユーザは、ポインタ画像２１０ａを移動してフォルダ２を選択する。そして、操作部１１０のＥｎｔｅｒボタンを押下してフォルダ２の選択を確定する。
【００２７】
図５は、図４に示した操作によってフォルダ２が選択された場合に表示される画像を示している。図５によれば、フォルダ２には、メインディスプレイ２０１に表示されたＡＢＣＤ…の文字をポインタ画像２１０ａ、ポインタ画像２１０ｂの少なくとも一方が指し示す位置に表示されたことを示している。このようにポインタ画像を表示することを、本実施形態ではブックマークを付すといい、ＢＭ１等で表す。また、フォルダ２には、ブックマークが付された画像が保存されているファイルのファイル名も記録されている。
【００２８】
このような応用例によれば、ポインタ画像２１０ａ、ポインタ画像２１０ｂによって選択された内容に連動して領域情報ディスプレイ２１２に情報を表示することが可能である。このように構成した場合、ポインタ画像２１０ａ、ポインタ画像２１０ｂによって選択された内容についての情報をより詳細にあるいは明瞭にユーザが知ることが可能である。
また、本実施形態の画像表示装置は、以上述べた構成に限定されるものではない。例えば、画像表示装置に通信機能を付加することも可能である。そして、携帯電話やＰＤＡ（Personal Digital Assistance）といった他の通信機器からユーザが画像表示装置にコメント等を送信した場合、送信されたコメント等を領域情報ディスプレイ２１２に表示するよう構成してもよい。
【００２９】
さらに、コメントを文字等に付されたブックマークに対応付けておくことにより、ブックマークが付された画像を表示してポインタ画像２１０ａ、２１０ｂの表示位置を再現した場合にコメントを領域情報ディスプレイ２１２表示することも考えられる。
【図面の簡単な説明】
【００３０】
【図１】本発明の一実施形態の画像装置の概要を説明するための図である。
【図２】本発明の一実施形態の画像表示装置の構成を説明するための図である。
【図３】図２に示したメインディスプレイ、サブディスプレイのハードウェア構成を説明するための図である。
【図４】本発明の実施形態の応用例を示した図である。
【図５】本発明の実施形態の他の応用例を示した図である。
【符号の説明】
【００３１】
１００  操作制御部、１０１  表示体駆動制御回路、１０８  表示体駆動回路、１０９  ディスプレイ、１１０  操作部、２０１ａ，２０１ｂ  ポインタ画像、２０１  メインディスプレイ、２０２，（２０２ａ，２０２ｂ）  サブディスプレイ、２０３  ソースドライバ、２０５，２０６ａ，２０６ｂ  ゲートドライバ、２１０ａ，２１０ｂ  ポインタ画像、２１２  領域情報ディスプレイ
【図１】
2006259506.tif 000003
【図２】
2006259506.tif 000004
【図３】
2006259506.tif 000005
【図４】
2006259506.tif 000006
【図５】
2006259506.tif 000007